(57)【要約】【課題】キャップレスの筆記具のインクが大気へ逃げるのを有効に防止する。【解決手段】筆記用芯材の先端が突き破って挿通可能な３本のスリット部１０，　１０，　１０を、頂部１１から放射状に備えて、全体がドーム型で、モールド成形されたシール。【選択図】　図３
2004050743.tif 000002
【特許請求の範囲】
【請求項１】
筆記用芯材の先端が突き破って挿通可能なスリット部を、頂部から放射状に複数本備えたドーム型にモールド成形され、かつ、上記スリット部は内方向に開口するＶ字状凹溝であって、さらに、上記頂部が先端方向を向くように筆記具ケーシングに内蔵され、筆記具未使用状態では上記スリット部に薄膜部が上記モールド成形にて一体状に張設されていることを特徴とする筆記具用シール。
【請求項２】
筆記用芯材の先端が突き破って挿通可能なスリット部を、頂部から放射状に複数本備え複数の花弁部に区画されたドーム型にモールド成形され、かつ、該頂部が先端方向を向くように筆記具ケーシングに内蔵され、かつ、上記ドームの裾野に対応して形成した取付部位が、外鍔部を備え、該外鍔部は自由状態で外径側が後退する勾配面状に形成され、さらに、該外鍔部の内端面には上記花弁部に各々対応した円弧状突条が直交方向に突設され、該円弧状突条を筆記具軸心と平行な方向に筆記具ケーシングの内部に取着して、上記放射状スリット部が閉じる方向の内部応力を生じるように構成したことを特徴とする筆記具用シール。
【請求項３】
スリット部に沿って、肉厚を局部的に増大した肉厚部を形成し、該肉厚部の幅方向中央に、上記スリット部が配設されている請求項１又は２記載の筆記具用シール。
【請求項４】
スリット部が頂部から放射状に３本備えている請求項１，２又は３記載の筆記具用シール。
【発明の詳細な説明】
【０００１】
【発明の属する技術分野】
本発明は、筆記具用シールに係り、特に、キャップレス式の液体筆記具に於て、筆記用液体の蒸発等を防止するためのシールに関する。
【０００２】
【従来の技術】
従来、マーカーやサインペン等の揮発性の液体（インク）を搭載した液体筆記具に於て、筆記用芯材の先端（ペン先）から液体（インク）が蒸発するのを防止するため、キャップを着脱自在に付設していた。このようなキャップ式の筆記具では、キャップを着脱する煩わしさがあり、また、キャップを紛失する等の問題があった。
【０００３】
そこで、このようなキャップを省略したキャップレス式の筆記具が使用されるようになってきた。その場合、ペン先等からの液体（インク）の蒸発を防ぐ、密封性の良好な構造とせねばならない。従来、そのような密封構造として、例えば特開平８−１０８６７６号で提案されたものが知られている。
【０００４】
【発明が解決しようとする課題】
しかしながら、特開平８−１０８６７６号の密封部材は開閉蓋を有する比較的複雑な（機械的な）構成であり、容積が大きく、筆記具内部に内蔵すると筆記具自体がやや大径となり、また、故障も生じ易い等の問題があった。
【０００５】
【課題を解決するための手段】
そこで、本発明は、筆記用芯材の先端が突き破って挿通可能なスリット部を、頂部から放射状に複数本備えたドーム型にモールド成形され、かつ、上記スリット部は内方向に開口するＶ字状凹溝であって、さらに、上記頂部が先端方向を向くように筆記具ケーシングに内蔵され、筆記具未使用状態では上記スリット部に薄膜部が上記モールド成形にて一体状に張設されている。
【０００６】
また、筆記用芯材の先端が突き破って挿通可能なスリット部を、頂部から放射状に複数本備え複数の花弁部に区画されたドーム型にモールド成形され、かつ、該頂部が先端方向を向くように筆記具ケーシングに内蔵され、かつ、上記ドームの裾野に対応して形成した取付部位が、外鍔部を備え、該外鍔部は自由状態で外径側が後退する勾配面状に形成され、さらに、該外鍔部の内端面には上記花弁部に各々対応した円弧状突条が直交方向に突設され、該円弧状突条を筆記具軸心と平行な方向に筆記具ケーシングの内部に取着して、上記放射状スリット部が閉じる方向の内部応力を生じるように構成した。
【０００７】
また、スリット部に沿って、肉厚を局部的に増大した肉厚部を形成し、該肉厚部の幅方向中央に、上記スリット部が配設されている。
また、スリット部が頂部から放射状に３本備えている。
【０００８】
【発明の実施の形態】
以下、図示の実施の形態に基づき本発明を詳説する。
図１に於て、キャップレス式の液体筆記具２の先端部の拡大要部断面図を示し、例えば、マーカーやサインペン等の筆記具２であって、３は筆記具ケーシング（軸筒）であり、先端３ａに開口する先端孔４が形成されると共に、この先端孔４よりも僅かに後方（図１の右方向）に、本発明に係るシールＳが内蔵されている。
【０００９】
５は、筆記用芯材であり、その先端５ａは、先端縮径テーパ状でかつ丸味を有する弾丸形である。この芯材５は、インク等の液体６が収納された略円筒形内容器７の先端壁７ａから先端へ一体に突設された芯材保持筒部８に、挿通状に保持されている。また、９は筆記用芯材５等を（突出状態から）収納状態へ復元するためのコイルスプリングである。
【００１０】
シールＳは、図１、及び、図２と図３と図４に例示するように、全体がエチレンプロピレンゴム、ブチルゴム等の合成ゴム、又は、軟質プラスチックから成り、筆記用芯材５の先端５ａが、内部から先端に向かって、突き破り、挿通可能なスリット部１０…を、頂部１１から放射状に複数本備えたドーム型である。
【００１１】
このスリット部１０は、図２〜図４では３本（奇数本）の場合を示している。しかも、各スリット部１０には、薄膜部１２が一体状に張設されている。スリット部１０は３本以外に、その数は増減自由であり、４本，５本…等とすることも可能である。
【００１２】
ドーム型のこのシールＳには外鍔部１３が裾野近傍に連設され、かつ、外鍔部１３の内端面１３ａ───頂部１１と反対側の端面───には、円弧状突条１４ａが突設されている。嵌込凹周溝を有する固定用リング１５の該嵌込凹周溝に、シールＳの取付部位としての上記外鍔部１３の円弧状突条１４ａが、嵌着され、この固定用リング１５を介して、筆記具ケーシング３の段付部１６に外鍔部１３が固着される（図１参照）。
【００１３】
１７は、係止用小突条であり、図１に示すように、シールＳを固定用リング１５の上記嵌込凹周溝に嵌着した状態で、後方（内方）から押圧して、小突条１７を越えて先端側へ押し込んで、段付部１６とこの小突条１７の間に、固定する。
【００１４】
そして、ドーム型のシールＳの内面側２０からＶ字状の凹溝２１，　２１，　２１を放射状に形成して、先端面側（外面側）２２に薄膜部１２を形成している。このように３枚の花弁部２７，　２７，　２７に、スリット部１０，　１０，　１０にて区画されている。
【００１５】
なお、図２，図３，図４に於て、図３は図２のＡ−Ｏ−Ａ拡大断面図を示し、図４は内面側２０から見た図である。そして、図２〜図４に示した本発明のシールＳは、モールド成形によって、作製され、内方向に開口するＶ字状凹溝２１と薄膜部１２を有するスリット部１０も、上記モールド成形によって一体に形成されている。このように、上記３枚の略三角弯曲面状の花弁部２７，　２７，　２７も、モールド成形によって一体に形成される。
【００１６】
このように、スリット部１０の薄膜部１２は外面側２２に配設されているが、特に、このスリット部１０に沿って（局部的に肉厚を増大して）３本の放射状の肉厚部２４，　２４，　２４を形成している。この肉厚部２４は各花弁部２７の外面側及び内面側の両方へ、突出状に形成され、また、スリット部１０（凹溝２１）は、各肉厚部２４の幅方向中央に、配設されている。従って、Ｖ字状の凹溝２１は、十分に深い寸法に形成できる。さらに、各花弁部２７の弾発復元力（弾発付勢力）は、肉厚部２４，　２４にて、補強される。言い換えれば、補強リブとしての役目（機能）を肉厚部２４，２４がはたし、しかも、花弁部２７の全体を肉厚とすると、（図１に於て）筆記用芯材５及び芯材保持筒部８と、筆記具ケーシング３の先端３ａの孔内面との間に、ペン使用時に噛み込みを生じ、芯材５及び保持筒部８を内方へ収納（後退）させようとしても、コイルスプリング９の弾発復元力では、収納（後退）できなくなるが、本発明のように、局部的に肉厚部２４を形成することで、上記噛み込みを防ぎ、ゴム又は軟質プラスチック製の本シールＳの抵抗を減少して、スムースな収納を可能としている。
【００１７】
次に、取付部位としての外鍔部１３は、（図３に示した）自由状態で、外径側が後退する勾配面状に形成され、その勾配角度θは、例えば、５°〜１５°とするのが良い。従って、この外鍔部１３に付設された円弧状突条１４ａは、軸心に対して、同じ角度θにて傾斜している。つまり、この突条１４ａは、後方へしだいに軸心に接近する方向に、５°〜１５°にて、傾斜している。言い換えると、外鍔部１３の内端面１３ａには、各花弁部２７に対応した円弧状突条１４ａが直交方向に突設されているので、この突条１４ａも勾配角度θで傾斜する。
【００１８】
このように、所定角度θにて傾斜した外鍔部１３を、図１に示す如く、固定用リング１５を用いて筆記具ケーシング３の内部に取着すると、自由状態では所定角度θで勾配面状であった外鍔部１３は、筆記具軸心Ｌと直交する直交面状に弾性変形する。
【００１９】
このようにして、ドーム型の裾野に対応して形成した外鍔部１３───取付部位───及び花弁部２７には、放射状スリット部１０，１０，　１０が閉じる方向の内部応力が生じて、筆記具ケーシング３の内部に、取着（固定）される。このとき、肉厚部２４，　２４，　２４を形成したことで、スリット部１０が閉じようとする内部応力による弾発付勢力が増加できる。
【００２０】
ところで、未使用（初期）状態では、シールＳには薄膜部１２が張った状態───完全密封状態───にあるが、初めて筆記具２を使用する際に、図１の図外のノブ等を押圧して、内容器７と共に筆記用芯材５を先端方向へ作動させると、筆記用芯材５の先端５ａが、シールＳの頂部１１の内面に衝突して、薄膜部１２が裂け、スリット部１０を突き破って、芯材５が挿通して、先端孔４から突出して、筆記具使用可能状態となる。
【００２１】
薄膜部１２の肉厚寸法は、０．０５ｍｍ〜０．３０ｍｍ程度とする。特に、０．０８ｍｍ〜０．１５ｍｍが好ましい。下限値未満であると、未使用状態で長期間の保管中に、液体６が気化して、外方へ逃げてゆく虞がある。逆に、上限値を越すと、スムースに芯材５の先端５ａが薄膜部１２を引き裂くことが難しくなり、先端５ａの中心がずれたり、過大な負荷が掛かるといった問題が生ずる。
【００２２】
そして、使用した後、筆記用芯材５を後退させる（このときコイルスプリング９の弾発力が作用する）と、ドーム型のシールＳのスリット部１０は、弾発的に閉じて、略元の状態に復元し、従来のキャップと同等の密封性を発揮する。言い換えると、スリット部１０にて複数枚の花弁部２７に分割された各弾性片Ｆが、それ自体の弾性、及び、裾野の取付部位の内部応力による弾発付勢力、によって、（薄膜部１２が引き裂かれた後も）密封性を保つように、（スリット部１０が閉じるように、）弾発的に隣り合う各弾性片Ｆ，Ｆが接触する。
【００２３】
一旦引き裂かれた各弾性片Ｆ…が元に戻って相互に接触する（スリット部１０を閉じる）ために、本シールＳの材料としては、圧縮永久歪み（試験条件ＪＩＳＫ６２６２；　１２０℃　　７０時間保持での圧縮永久歪み）が、３０％以下のものを用いる。具体的には、ブチルゴム等の気体が透過しにくい材質が最適であるが、エチレンプロピレンゴム等の合成ゴム、又は、軟質プラスチックも、使用可能である。
【００２４】
なお、スリット部１０…の本数は、図に示したように、３本，５本等の奇数が好ましい。つまり、突き破り性、復元性の両面から、奇数が適している。特に、３本が、突き破り性の点においては、ペン先の前進により、Ｖ字状凹溝の薄膜部１２すべてに均等な力がかかってきれいに裂け、突き破り後も、各弾性片Ｆの表面積が大きく保たれるため、剛性が高く維持でき、良好な復元性をも示すという点で望ましい。
【００２５】
このように突き破り性が良い場合、筆記用芯材（ペン先）５の中心がずれたり、芯材（ペン先）５が斜めに突出したり、中心誘導性が損なわれる等の問題の発生を防止できる。
なお、図３と図１に示したように、筆記具ケーシング３に取着する前の状態───自由状態───に於て、取付部位（外鍔部１３）を所定角度θの勾配面（テーパ面）状とすることにより、その後の取着（固定）状態で、ドーム全体に中心向きの弾発付勢力───スリット部１０が閉じる方向の弾発復元力───が作用して、一旦引き裂かれたスリット部１０が、その後、長期間にわたって、密封性を維持できる。また、外鍔部１３の外端面１３ｂが（突起の無い）平坦面状であるので、図１に示すように、ケーシング３の段付部１６に押圧状に簡単に取着できて、姿勢が安定するという利点がある。
【００２６】
本発明に係るシールＳは、上述の構成により、未使用状態で揮発性のインク等の液体６が、筆記用芯材（ペン先）５から、気化して、大気へ逃げるのを、有効に防止できて、全体が簡素かつコンパクトなシールでありながら、高度の密封性を発揮できる。また、Ｖ字状凹溝２１をもってスリット部１０が形成され、かつ、外面側２２に薄膜部１２があるので、初めての使用に於て、芯材（ペン先）５が容易に引き裂いて、スリット部１０を開くのを、邪魔しない───つまり、突き破り性に優れる。また、外鍔部１３及び突条１４ａが自由状態で傾斜状であって、これを弾性変形しつつ取着（固着）するので、一旦、薄膜部１２が引き裂かれた後も、スリット部１０が弾発的に閉じるので、長期間にわたって、密封性を維持できる。しかも、シールとして、構造が複雑化しない。かつ、シールＳは安定姿勢を保つ。また、３本の花弁部２７に分割可能としたので、スリット部１０がペン先５の前進時に均等にきれいに裂けて突き破り性に特に優れている。しかも、突き破られた後も、各弾性片Ｆの表面積も大きいため剛性が高く維持され、ペン先５の後退後、良好な復元性を示す。
【００２７】
【発明の効果】
本発明は上述の構成により次のような著大な効果を奏する。
（請求項１によれば、）全体をモールド成形にて一体に作製するので、薄膜部１２の微小肉厚寸法を、安定して高精度に制御可能となる。つまり、カッターによる切削加工では、弾性材を所定凹溝深さまで切削する際、逃げを生じ易く、刃の摩耗状態等により、極めて寸法の制御が困難であるのに対し、本発明では、確実に高精度にコントロールできる。これによって、シールＳのスリット部１０が均等に破れて、筆記用芯材５がスムースに突出できるという利点がある。
【００２８】
また、スリット部１０がＶ字状凹溝２１であるため、（相互に密着すべき）先端縁が薄く、初期以上に閉状態となって、密着して閉状態に復元し、密封性に優れ、インク等の液体６が揮発しない。かつ、Ｖ字状凹溝２１は、筆記用芯材５の先端５ａを受入れ易いという利点もある。このように、全体が簡素かつコンパクトでありながら、高度の密封性を発揮し、高精度に製作も可能である。
【００２９】
（請求項２によれば、）モールド成形にてスリット部１０を高精度な寸法に作製でき、筆記用芯材５がスムースに突出でき、かつ、収納時にはスリット部１０が完全に閉じて、確実に高い密封性を発揮する。そして、各花弁部２７に夫々円弧状突条１４ａが対応して、この円弧状突条１４ａを筆記具軸心と平行な方向に取着したので、各花弁部２７はその弾発復元力を発揮してスリット部１０を強力に閉じる。故に、一旦引き裂かれたスリット部１０の密封性を高く確保でき、筆記用芯材（ペン先）５から、インク等の液体６が逃げるのを、有効に防止できる。
【００３０】
さらに、円弧状突条１４ａは複数に分割されているので、（一連円環状突条よりも、）固定用リング１５等の凹溝（図１参照）に、嵌着作業がやり易いという利点もある。
【００３１】
（請求項３によれば、）肉厚部２４の配置によって、シールＳの容積を減少して、かつ、有効にスリット部１０を閉じる弾発的復元力を増大できる。つまり、シールＳの花弁部２７を全体均一に厚くすると、突出状態の芯材５とケーシング３の孔内面との間に、シールＳが噛み込んで、コイルスプリング９の復元弾発力で、芯材５をケーシング３内へ収納（後退）できにくくなる虞があるのを、本発明では、局部的な肉厚部２４の形成によって、見事に解決して、上記噛み込みを防ぎ、後退時の抵抗を減少して、スムースな芯材５のケーシング３内への収納を可能としていると、いえる。
（請求項４によれば、）スリット部１０がペン先（芯材）５の前進時に、均等に美しく裂かれて、突き破り性に優れている。
【図面の簡単な説明】
【図１】本発明に係るシールの使用方法を説明するための要部拡大断面図である。
【図２】本発明の実施の一形態を説明するための正面図である。
【図３】図２のＡ−Ｏ−Ａ拡大断面図である。
【図４】背面図である。
【符号の説明】
２　筆記具
３　筆記具ケーシング
５　筆記用芯材
５ａ　先端
１０　　スリット部
１１　　頂部
１２　　薄肉部
１３　　外鍔部
１３ａ　内端面
１４ａ　円弧状突条
２０　　内面側
２１　凹溝
２２　　外面側（先端面側）
２４　肉厚部
２７　花弁部
Ｆ　弾性片
Ｌ　軸心
Ｓ　シール
【図１】
2004050743.tif 000003
【図２】
2004050743.tif 000004
【図３】
2004050743.tif 000005
【図４】
2004050743.tif 000006